(57)【要約】【課題】電子チケットの形態を多様化し、この電子チケットに対し、電子チケットの表現力を損なうことなく高いセキュリティ効果を付与する。【解決手段】移動端末１０が、電子チケットサーバ２０から電子チケットを取得して検札装置３０により検札を受ける電子チケットシステムであって、チケット発行依頼データを電子チケットサーバに送信し、この電子チケットサーバから電子チケットを受信して、検札に際して電子チケットを出力する移動端末と、移動端末から送信されてきたチケット発行依頼データにもとづいて、電子透かしを有する電子チケットを作成し、この電子チケットを移動端末に送信する電子チケットサーバと、移動端末から出力された電子チケットの電子透かしを検出して検札を行う検札装置と、移動端末、電子チケットサーバ及び検札装置を接続する移動端末事業者ネットワーク６０とを有する電子チケットシステム。【選択図】　　　図２
2004078429.tif 000002
【特許請求の範囲】
【請求項１】
移動端末が、電子チケットサーバから電子チケットを取得して検札装置により検札を受ける電子チケットシステムであって、
チケット発行依頼データを前記電子チケットサーバに送信し、この電子チケットサーバから電子チケットを受信して、検札に際して前記電子チケットを出力する前記移動端末と、
前記移動端末から送信されてきた前記チケット発行依頼データにもとづいて、電子透かしを有する前記電子チケットを作成し、この電子チケットを前記移動端末に送信する前記電子チケットサーバと、
前記移動端末から出力された前記電子チケットの前記電子透かしを検出して検札を行う前記検札装置と、
前記移動端末、前記電子チケットサーバ及び前記検札装置を接続する移動端末事業者ネットワークとを有する
ことを特徴とする電子チケットシステム。
【請求項２】
前記電子チケットが、少なくとも静止画像、動画又は音声のいずれかであることを特徴とする請求項１記載の電子チケットシステム。
【請求項３】
前記電子透かしが、電子チケットを周波数変換し、周波数スペクトラムに電子透かしデータを埋め込むことにより、前記電子チケットに刷り込まれる
ことを特徴とする請求項１又は２記載の電子チケットシステム。
【請求項４】
前記電子チケットシステムが、
少なくともデジタルデータ又はアナログデータのいずれかの複製を行う複製装置を備える
ことを特徴とする請求項１〜３のいずれかに記載の電子チケットシステム。
【請求項５】
前記複製装置が、前記移動端末又は前記電子チケットサーバから前記電子チケットを受信し、又は印刷、録画若しくは録音されてアナログ化された前記電子チケットを入力すると、この入力した電子チケットが有する電子透かしを確認し、当該電子透かしに複製不許可情報が存在する場合は、前記電子チケットの複製を行わない
ことを特徴とする請求項１〜４のいずれかに記載の電子チケットシステム。
【請求項６】
前記複製装置が、
前記移動端末又は前記電子チケットサーバから前記電子チケットを受信して、又は印刷、録画若しくは録音されてアナログ化された電子チケットを入力して複製を行うにあたり、前記電子チケットの電子透かしに複製世代情報を更新し、
前記検札装置が、前記電子透かしにおける前記複製世代情報を確認して、前記検札を行う
ことを特徴とする請求項１〜５のいずれかに記載の電子チケットシステム。
【請求項７】
前記電子チケットサーバ及び前記検札装置が、他のネットワークに接続され、当該他のネットワークが、前記移動端末事業者ネットワークに接続する
ことを特徴とする請求項１〜６のいずれかに記載の電子チケットシステム。
【請求項８】
ユーザ端末が、前記移動端末事業者ネットワーク又は前記他のネットワークに接続され、
このユーザ端末が、前記チケット発行依頼データを前記電子チケットサーバに送信し、前記電子チケットサーバから前記電子チケットを受信して、前記検札に際して前記電子チケットを出力する
ことを特徴とする請求項１〜７のいずれかに記載の電子チケットシステム。
【請求項９】
前記検札装置が、ゲートシステムであり、前記検札において検出した前記電子透かしにもとづきゲートの開閉を決定する
ことを特徴とする請求項１〜８のいずれかに記載の電子チケットシステム。
【請求項１０】
前記電子チケットサーバが、前記電子チケットの発行に対して、課金用データを作成し、この課金用データを前記移動端末の通信を管理する通信事業者の課金システムに送信し、この課金システムが、前記電子チケットの料金を、前記移動端末の通信料金に上乗せして課金する
ことを特徴とする請求項１〜９のいずれかに記載の電子チケットシステム。
【請求項１１】
移動端末が、移動端末事業者ネットワークを介して、電子チケットサーバから電子チケットを取得し、検札装置により検札を受ける電子チケット方法であって、
前記移動端末が、チケット発行依頼データを前記電子チケットサーバに送信し、
前記電子チケットサーバが、送信されてきた前記チケット発行依頼データにもとづき電子透かしを有する前記電子チケットを作成して、この電子チケットを前記移動端末に送信し、
前記移動端末が、前記電子チケットサーバから前記電子チケットを受信するとともに、検札に際してこの電子チケットを出力し、
前記検札装置が、前記移動端末から出力された前記電子チケットの前記電子透かしを検出して検札を行う
ことを特徴とする電子チケット方法。
【請求項１２】
移動端末事業者ネットワークを介して、移動端末の要求に応じて、検札装置により検札を受けるための電子チケットを送信する電子チケットサーバであって、
前記移動端末から送信されてきたチケット発行依頼データにもとづいて、少なくとも静止画像、動画又は音声のいずれかの情報に電子透かしを刷り込むことにより、前記電子チケットを作成し、この電子チケットを前記移動端末に送信する
ことを特徴とする電子チケットサーバ。
【請求項１３】
移動端末事業者ネットワークを介して、電子チケットサーバに、検札装置により検札を受けるための電子チケットを移動端末へ送信させる電子チケットプログラムであって、
前記電子チケットサーバに、
前記移動端末から送信されてきたチケット発行依頼データにもとづいて、少なくとも静止画像、動画又は音声のいずれかの情報に電子透かしを刷り込ませることにより、前記電子チケットを作成させ、この電子チケットを前記移動端末に送信させる
ことを実行させるための電子チケットプログラム。
【請求項１４】
移動端末により出力された電子チケットにもとづいて検札を行う検札装置であって、
前記電子チケットに対して、電子透かしの検出処理を実行し、検出された電子透かしにもとづいて、前記移動端末の検札における許可判断を行う
ことを特徴とする検札装置。
【発明の詳細な説明】
【０００１】
【発明の属する技術分野】
本発明は、ネットワークを介して、移動端末に対し、電子チケットサーバから電子チケットを発行し、この電子チケットの検札を検札装置によって行う電子チケットシステム、方法、サーバ、プログラム及び検札装置に関する。
【０００２】
【従来の技術】
従来、コンサートや観劇などのチケットを得るには、電話や窓口などで申込みを行った後、紙などにより作られたチケットを郵送や窓口で受け取る必要があった。
しかし、携帯電話、ＰＨＳ、ＰＤＡ等の携帯端末、及びこれらに関連する通信技術が発展し、従来、人や物品の移動を必要とした様々な事柄が、携帯端末等を用いて実現可能となってきている。
このような状況において、電子チケットシステムの登場により、チケットの申込みを、通信回線を介して行うことができるのみならず、チケット自体も電子情報として簡単に受け取ることができるようになった。
【０００３】
例えば、特開２００１−２８３１１７号公報には、携帯情報機器を用いて、通信回線を介してチケットを購入でき、チケットをデジタルデータとしてダウンロードし、このデジタルデータにもとづき認証が行われるバーチャルチケット発行システムが開示されている。
【０００４】
【発明が解決しようとする課題】
しかしながら、このようなシステムを運用するにあたっては、チケットが電子情報であることから、複製が容易であるため、いかにして不正使用を防止するかということが問題となる。
上記の公報においては、その手段としてバーコードや、ＣＣＤカメラによる画像確認が用いられている。この他、バーコードを用いる認証システムなどとして、特開２００２−６３４５０号公報におけるものや、特開２００１−１４８０３７号公報におけるものなどを挙げることができる。
しかしながら、バーコードを用いた認証方法であっても、複製や改ざんがなお容易であり、不正使用を防止する手段としては十分なものとはいえなかった。
【０００５】
また、バーコードによる電子チケットを携帯端末に表示させる構成をとる場合においては、電子チケット全体をバーコードとするときは、そのデザイン性に欠け、電子チケットの一部にバーコードをもたせるときには、電子チケットのデザイン性が損なわれるとともに、開始時刻や場所、広告等の情報を電子チケットに盛り込みにくいという問題があった。
これに対して、電子チケットに暗号処理を施すことにより、不正使用を防止しようとする試みも行われている。上記特開２００１−１４８０３７号公報は、電子チケットをこのように暗号化して、バーコード処理する方法を用いている。
しかし、このような電子チケットの暗号化を電子チケットシステムに適用しても、ひとたび暗号が解読されてしまうと、以降の複製を防止することができないという問題があった。
【０００６】
本発明は、上記の事情にかんがみなされたものであり、電子透かし技術を用いて電子チケットを作成することにより、電子チケットの表現力を損なうことなく、高いセキュリティ効果を与えるとともに、映像や音声など電子チケットの形態を多様化し、その形態にかかわらず認証を行うことが可能な電子チケットシステム方法、サーバ、プログラム及び検札装置の提供を目的とする。
【０００７】
【課題を解決するための手段】
上記目的を達成するため、本発明の請求項１記載の電子チケットシステムは、移動端末が、電子チケットサーバから電子チケットを取得して検札装置により検札を受ける電子チケットシステムであって、チケット発行依頼データを電子チケットサーバに送信し、この電子チケットサーバから電子チケットを受信して、検札に際して電子チケットを出力する移動端末と、移動端末から送信されてきたチケット発行依頼データにもとづいて、電子透かしを有する電子チケットを作成し、この電子チケットを移動端末に送信する電子チケットサーバと、移動端末から出力された電子チケットの電子透かしを検出して検札を行う検札装置と、移動端末、電子チケットサーバ及び検札装置を接続する移動端末事業者ネットワークとを有する構成としてある。
【０００８】
電子チケットシステムをこのような構成にすれば、電子チケットの認証にあたって、電子透かしを用いることができる。
これによって、電子チケットに対する高いセキュリティ効果を得ることができることに加え、電子チケットの形態にとらわれることなく、このセキュリティ効果を付与することが可能となる。
【０００９】
電子チケットの認証としてバーコードや暗号化を使用した場合、電子チケットを動画や音楽などの音声等によって構成することは、不可能であるか、極めて困難である。
しかし、電子チケットの認証手段として電子透かしを適用した場合には、電子チケットの種類に拘わらず、容易に適用することが可能となる。
すなわち、電子チケットシステムにおいて、チケットとして、静止画像のみならず、動画や音声などを用いることにより、チケットに高い表現力を付与することができ、ユーザに対する広告効果も期待できることとなる。
【００１０】
さらに、このような電子透かしを電子チケットに用いた場合、その複製にあたって、複製されたという情報を付加する機能を、その複製を行う装置にあらかじめもたせておくことによって、不正な複製を防止したり、複製元のデータを追跡することができ、高いセキュリティ効果を得ることが可能となる。
なお、ここでいう移動端末とは、携帯電話機やＰＨＳ等の無線通信装置を意味している。
【００１１】
本発明の請求項２記載の電子チケットシステムは、電子チケットが、少なくとも静止画像、動画又は音声のいずれかである構成としてある。
電子チケットシステムをこのような構成にすれば、電子チケットとして、静止画像、動画像、音声、又はこれらを組合せたものを用いることができ、これらに電子透かしを刷り込ませて認証を実行することが可能となる。
【００１２】
本発明の請求項３記載の電子チケットシステムは、電子透かしが、電子チケットを周波数変換し、周波数スペクトラムに電子透かしデータを埋め込むことにより、電子チケットに刷り込まれる構成としてある。
【００１３】
電子チケットシステムをこのような構成にすれば、電子チケット情報の周波数成分に電子透かしデータを埋め込むため、電子チケットの表現力を損なうことなく、電子透かしを埋め込むことが可能となる。
また、電子透かしをこのような方法とすれば、圧縮処理やフィルタリング等の画像処理に対しても電子透かしデータが失われることがなくなる。
さらに、電子透かしデータとして正規分布に従う乱数を採用することで、電子透かしデータ同士の干渉を防ぎ、画像全体に大きな影響を及ぼすことなく電子透かしデータを除去することが困難となる
【００１４】
本発明の請求項４記載の電子チケットシステムは、この電子チケットシステムが、少なくともデジタルデータ又はアナログデータのいずれかの複製を行う複製装置を備える構成としてある。
【００１５】
電子チケットシステムをこのような構成にすれば、複製装置に電子透かしを有する電子チケットの複製制御機能を設けることによって、不正な複製を防止することが可能となる。
この複製装置としては、パーソナルコンピュータ，ＶＴＲ（ビデオテープレコーダ），ビデオカメラ，複写機，ファクシミリ，カセットデッキ，ＭｉｎｉＤｉｓｋ，スキャナ，アナログカメラ，デジタルカメラ，移動端末等を挙げることができる。
【００１６】
この複製装置による複製防止機能は、複製元データが、デジタルデータの場合のみならず、アナログデータであっても、電子透かしの検索を行うことが可能である。
例えば、スキャナにより読み込んだ静止画像データから、刷り込まれている電子透かし情報を抽出し、解析することができる。マイクによりひろった音声情報や、ビデオカメラにより撮影した動画情報についても同様である。
【００１７】
本発明の請求項５記載の電子チケットシステムは、複製装置が、移動端末又は電子チケットサーバから電子チケットを受信し、又は印刷、録画若しくは録音されてアナログ化された電子チケットを入力すると、この入力した電子チケットが有する電子透かしを確認し、当該電子透かしに複製不許可情報が存在する場合は、電子チケットの複製を行わない構成としてある。
【００１８】
電子チケットシステムをこのような構成にすれば、複製装置は、入力した電子チケット情報に電子透かし情報が含まれており、この電子透かし情報に複製してはならないことを示す情報が含まれている場合には、その電子チケットの複製を作成したり、これを記憶装置に記憶することを行わない。
このようにすることによって、電子チケットの不正な複製を防止することが可能となる。
【００１９】
本発明の請求項６記載の電子チケットシステムは、複製装置が、移動端末又は電子チケットサーバから電子チケットを受信して、又は印刷、録画若しくは録音されてアナログ化された電子チケットを入力して複製を行うにあたり、電子チケットの電子透かしに複製世代情報を更新し、検札装置が、電子透かしにおける複製世代情報を確認して、検札を行う構成としてある。
【００２０】
電子チケットシステムをこのような構成にすれば、電子チケットの複製を行う際、電子透かしに、その電子チケットが複製であることを示す複製世代情報を追加することができるため、検札装置は、その情報に従って、検札の許可判断を行うことが可能となる。
例えば、コンサート会場の入場ゲートなどにおいて、不正に複製された電子チケットを提示する者の入場を防止することが可能となる。
また、例えば、家族割引サービスなどを提供する催し物の場合に、複製を１回に限り許可し、複製世代情報として、１回目の複製であることが電子透かしとして刷り込まれている場合には、入場を許可するというような処理を行うことも可能となる。
【００２１】
このような複製世代情報の追加は、複製元データがデジタルデータである場合に限らず、アナログデータであっても行うことが可能である。
例えば、スキャナによる画像データの読み込みに際に、電子透かし情報が検出された場合には、読み込みデータを保存する際に、複製世代情報を追加した上で保存するようにすることができる。
また、これは、電子チケットが動画の場合にビデオカメラで撮影する場合や、電子チケットが音声の場合に、マイクを用いて録音する場合であっても、同様にして適用することが可能である。
【００２２】
本発明の請求項７記載の電子チケットシステムは、電子チケットサーバ及び検札装置が、他のネットワークに接続され、当該他のネットワークが、移動端末事業者ネットワークに接続する構成としてある。
【００２３】
電子チケットシステムをこのような構成にすれば、電子チケットサーバ及び検札装置を移動端末事業者ネットワークのみならず、インターネットなどの他のネットワークに接続して利用することができ、より柔軟で汎用性、拡張性の高い構成とすることが可能となる。
【００２４】
本発明の請求項８記載の電子チケットシステムは、ユーザ端末が、移動端末事業者ネットワーク又は他のネットワークに接続され、このユーザ端末が、チケット発行依頼データを電子チケットサーバに送信し、電子チケットサーバから電子チケットを受信して、検札に際して電子チケットを出力する構成としてある。
【００２５】
電子チケットシステムをこのような構成にすれば、本システムのユーザは、ノート型パソコンなどのパーソナルコンピュータや、ＰＤＡ等のユーザ端末を用いて、電子チケットの申込みを行うことができ、このユーザ端末に電子透かしを有する電子チケットをダウンロードすることが可能となる。
そして、ユーザ端末を用いて検札装置に電子チケットを出力することによって、検札装置から検札を受けることが可能となる。
【００２６】
本発明の請求項９記載の電子チケットシステムは、検札装置が、ゲートシステムであり、検札において検出した電子透かしにもとづきゲートの開閉を決定する構成としてある。
電子チケットシステムをこのような構成にすれば、例えばコンサートホールや劇場などの入場ゲートにおいて、電子透かしを有する電子チケットの認証を行い、正規の電子チケット提示者のみの入場を許可することが可能となる。
【００２７】
本発明の請求項１０記載の電子チケットシステムは、電子チケットサーバが、電子チケットの発行に対して、課金用データを作成し、この課金用データを移動端末の通信を管理する通信事業者の課金システムに送信し、この課金システムが、電子チケットの料金を、移動端末の通信料金に上乗せして課金する構成としてある。
【００２８】
電子チケットシステムをこのような構成にすれば、チケット料金を、移動端末の通話料に上乗せして課金することができるため、ユーザにとっては、チケットの申込みの際に料金の支払いを行う必要がない。
また、チケット発行会社などにとっても、課金に伴う手間を減少させ、確実で利便性の高い課金手段を得ることができる。
【００２９】
本発明の請求項１１記載の電子チケット方法は、移動端末が、移動端末事業者ネットワークを介して、電子チケットサーバから電子チケットを取得し、検札装置により検札を受ける電子チケット方法であって、移動端末が、チケット発行依頼データを電子チケットサーバに送信し、電子チケットサーバが、送信されてきたチケット発行依頼データにもとづき電子透かしを有する電子チケットを作成して、この電子チケットを移動端末に送信し、移動端末が、電子チケットサーバから電子チケットを受信するとともに、検札に際してこの電子チケットを出力し、検札装置が、移動端末から出力された電子チケットの電子透かしを検出して検札を行う方法としてある。
【００３０】
電子チケット方法をこのような方法にすれば、電子チケットの認証にあたって、高い利便性とセキュリティ効果を得ることができるとともに、電子チケットの認証手段として電子透かしを適用することにより、電子チケットの種類に拘わらず、認証を実行することが可能となる。
【００３１】
本発明の請求項１２記載の電子チケットサーバは、移動端末事業者ネットワークを介して、移動端末の要求に応じて、検札装置により検札を受けるための電子チケットを送信する電子チケットサーバであって、移動端末から送信されてきたチケット発行依頼データにもとづいて、少なくとも静止画像、動画又は音声のいずれかの情報に電子透かしを刷り込むことにより、電子チケットを作成し、この電子チケットを移動端末に送信する構成としてある。
【００３２】
電子チケットサーバをこのような構成にすれば、電子チケットを電子透かしにより認証することが可能となるため、電子チケットの表現力を損なうことなく高いセキュリティ効果を付与でき、電子チケットの形態に制約されることのない電子チケットシステムを構築することが可能となる。
【００３３】
本発明の請求項１３記載の電子チケットプログラムは、移動端末事業者ネットワークを介して、電子チケットサーバに、検札装置により検札を受けるための電子チケットを移動端末へ送信させる電子チケットプログラムであって、電子チケットサーバに、移動端末から送信されてきたチケット発行依頼データにもとづいて、少なくとも静止画像、動画又は音声のいずれかの情報に電子透かしを刷り込ませることにより、電子チケットを作成させ、この電子チケットを移動端末に送信させる構成としてある。
【００３４】
電子チケットプログラムをこのような構成にすれば、電子チケットサーバに、移動端末から電子チケットの発行依頼が送信されてくると、静止画像や、動画、音声、又はこれらを組合せて作成された電子チケットの元情報に、電子透かしを刷り込むことによって、電子チケットを作成させ、これを移動端末に送信させることができる。
このため、従来は、電子チケットとして画像データしか扱われず、これに対して、暗号やバーコードによるセキュリティ付加が行われていたが、電子チケットに電子透かしを用いることによって、動画や音声などにより作成された電子チケットに対しても、効果的なセキュリティを付加することが可能となる。
【００３５】
本発明の請求項１４記載の検札装置は、移動端末により出力された電子チケットにもとづいて検札を行う検札装置であって、電子チケットに対して、電子透かしの検出処理を実行し、検出された電子透かしにもとづいて、移動端末の検札における許可判断を行う構成としてある。
【００３６】
検札装置をこのような構成にすれば、電子チケットが所定の電子透かしを有するか否かにもとづいて、検札を行うことができるため、セキュリティの向上を図れることに加え、例えば、電子チケットを音声とするなど、電子チケットの形態にとらわれることなく、認証を行うことが可能となる。
【００３７】
【発明の実施の形態】
以下、本発明の実施形態につき、図面を参照して説明する。
［第一実施形態］
まず、本発明の第一実施形態について、図１〜図３を参照して説明する。図１は、本発明の第一実施形態の電子チケットシステムの構成を示すブロック図であり、図２は、同システムにおける移動端末、電子チケットサーバ及びゲートシステムの構成を示すブロック図である。また、図３は、同システムにおける複製装置４０の構成を示すブロック図である。
【００３８】
［電子チケットシステム］
図１に示すように、本実施形態の電子チケットシステムは、移動端末１０、電子チケットサーバ２０、ゲートシステム３０、複製装置４０及び移動端末事業者ネットワーク６０を有している。
移動端末１０は、電子チケットシステムを利用して、チケットを購入するユーザが使用する携帯電話機やＰＨＳ等であり、移動端末事業者ネットワーク６０を介して、電子チケットサーバ２０に電子チケットの発行依頼を発信し、電子チケットサーバ２０から電子透かしを有する電子チケットを受信して記憶する。
また、移動端末１０は、この電子チケットを出力することにより、ゲートシステム３０において通過許可判断を受ける。
【００３９】
［移動端末］
移動端末１０は、図２に示すように、データ入力部１１、制御部１２、アンテナ１３、データ格納部１４、表示部１５及び音声出力部１６を有している。
データ入力部１１は、チケット発行依頼データを入力する。このチケット発行依頼データとしては、ユーザＩＤ及びパスワード等のユーザを特定するための情報、及びコンサート名称、日時、場所、料金等の発行すべきチケットを特定するための情報を挙げることができる。
【００４０】
制御部１２は、データ入力部１１から入力したチケット発行依頼データを、アンテナ１３を介して発信する。このチケット発行依頼データは、移動端末事業者ネットワーク６０を介して、電子チケットサーバ２０に伝達される。
また、制御部１２は、アンテナ１３を介して電子透かしを有する電子チケットを受信すると、これをデータ格納部１４に記憶する。
【００４１】
表示部１５は、移動端末１０におけるモニタなどの表示装置であり、電子チケットが、静止画像や動画等の形態をとるものである場合に、これを表示する。
音声出力部１６は、移動端末１０におけるスピーカなどの音声出力装置であり、電子チケットが、音楽などの音声の形態をとるものである場合に、これを出力する。
【００４２】
［電子チケットサーバ］
電子チケットサーバ２０は、チケット発行会社などが使用するサーバであり、受信したチケット発行依頼データにもとづいて、電子透かしを有する電子チケットを作成し、これを移動端末１０に送信する。
この電子チケットサーバ２０は、図２に示すように、受付部２１、データ管理部２２、データ生成部２３、データ格納部２４、電子透かしデータ刷り込み部２５及び送信部２６を有している。
【００４３】
受付部２１は、移動端末１０から移動端末事業者ネットワーク６０を介して送信されてきたチケット発行依頼データを受信し、これをデータ管理部２２及びデータ生成部２３へ出力する。
データ管理部２２は、ユーザ情報管理及びチケット情報管理を行う。ユーザ情報管理においては、ユーザの氏名や電話番号、電子メールアドレス等の個人情報の管理が行われる。また、チケット情報管理においては、コンサートなどの名称、料金、日時、場所等の情報が管理されている。
【００４４】
データ管理部２２は、受付部２１から入力したチケット発行依頼データにもとづいて、チケット情報を検索し、ユーザが要求したチケットの名称、日時、場所、料金等に対応するチケットの有無を確認する。
そして、チケットが有る場合には、チケットを生成するための情報をデータ生成部２３に出力する。
【００４５】
このチケットを生成するための情報としては、例えば、ユーザの移動端末１０のＩＤ（電話番号、所有者情報等）、チケットの有無、チケット詳細情報（日時、会場、座席等）、発券日時、オリジナルか複製されたものかなどを示す複製世代情報、複製の可否を示す複製可否情報等を挙げることができる。
また、チケットが無い場合には、データ管理部２２は、これを示す情報を、送信部２６を介して移動端末１０に送信する。そして、例えば、移動端末１０に「そのチケットは完売しました。」などのメッセージを表示させることによって、ユーザに、チケットが無いことを伝達する。
なお、例えば、データ生成部２３などに、チケットがないことを示す情報を生成させ、送信部２６を介して、移動端末１０に送信させるようにしてもよい。
【００４６】
また、受付部２１が、データ管理部２２からチケットを生成するための情報を入力してデータ生成部２３に出力することもできる。
さらに、受付部２１は、データ管理部２２にチケット発行依頼データを出力することなく、データ生成部２３にのみ送信し、データ生成部２３がこれにもとづきデータ管理部２２からチケットを生成するための情報を取得するようにすることもできる。
【００４７】
データ管理部２２は、チケットが有る場合に、課金処理を行うことができる。
この課金処理において、データ管理部２２は、チケットの料金情報にもとづいて、課金用データを作成し、これを送信部２６に出力する。
送信部２６は、専用線やインターネット等の通信回線を介して、電話会社に課金用データを送信し、電話会社における課金システム等において、電話料金などにチケット料金の上乗せ処理が行われる。
【００４８】
課金処理を、電話料金などとは別個に行うようにしてもよい。この場合、ユーザによるチケット発行依頼データにクレジットカード番号等を含ませることによって、クレジット決済とすることができる。
また、ユーザによる金融機関への振込結果情報を、通信回線及び受付部２１を介してデータ管理部２２が受信し、これにもとづきチケット発行の可否判断を行うようにすることもできる。
さらに、以上のような課金処理を、データ管理部２２ではなく、データ生成部２３にもたせるようにすることも可能である。
【００４９】
データ格納部２４は、電子チケットの本体となる静止画像情報、映像情報、音声情報等を管理する。この静止画像情報、映像情報、音声情報等は、電子透かしを刷り込む対象となる。
データ格納部２４は、これらの静止画像情報等をデータ生成部２３に出力する。
データ生成部２３は、データ格納部２４から対象となる電子チケットの本体の情報を入力することによって、電子チケットデータを生成し、チケットを生成するための情報とともに、電子透かしデータ刷り込み部２５に出力する。
【００５０】
電子透かしデータ刷り込み部２５は、チケットを生成するための情報にもとづいて、上記静止画像等に電子透かしデータを刷り込み、電子透かしを有する電子チケットを作成する。
この電子透かしデータとしては、上述のように複製世代情報や、複製可否情報等の複製制御情報を含めることが可能である。
【００５１】
したがって、複製機能を有する各種装置、例えば、パーソナルコンピュータや，ＶＴＲ，デジタルカメラ，複写機，ＦＡＸ，カセットデッキ，ＭｉｎｉＤｉｓｋ装置等に電子透かし検出機能及び解析機能を設けることによって、複製時に電子透かしデータにもとづいて、複製制御を行わせることが可能となる。
この複製制御によって、複製可否情報にもとづいて、電子チケットの複製を不可能としたり、あるいは、複製の際に、複製されたという情報を付加することによって、その電子チケットとしての機能を無効とすることも可能となる。
なお、本発明で用いる電子透かし技術の詳細については後述する。
【００５２】
送信部２６は、電子透かしデータ刷り込み部２５から入力した電子チケットを、移動端末事業者ネットワーク６０を介して移動端末１０に送信する。
また、送信部２６は、データ管理部２２又はデータ生成部２３にて作成された課金用データを、金融機関における課金システム等に送信する。
さらに、送信部２６は、電子チケットの発行に先立って、データ管理部２２にて管理されるそのチケットの情報を、移動端末事業者ネットワーク６０を介してゲートシステム３０に送信する。
【００５３】
ここで、電子透かしデータ刷り込み部２５で電子チケットに刷り込みが行われる電子透かし技術に関して説明する。
上述のように、電子チケットシステムにおいては、電子チケットの不正な複製をいかにして防止するかということが重要な問題である。
デジタル画像の不正な複製を防止するための手段として、デジタル画像データを暗号化し、正当な暗号解読キーを持つ再生システムのみが、暗号化されたデジタル画像データを再生できるシステムが考えられている。
しかし、このようなシステムによれば、ひとたび暗号を解読されてしまうと、以降の複製を防止することはできない。
【００５４】
そこで、記録媒体に固有の識別コードを記録しておき、複製の是非を行う方式（特開平８−６９４１９号公報）や有料テレビジョン放送用のデコーダに各デコーダ毎に異なる識別コードを記録しておき、契約された識別コードをもつデコーダのみ正しくデコード可能な方式（特開平５−２６０４６８号公報）等が考えられている。
【００５５】
また、デジタル画像の不正な使用、及び複製を防止するために、デジタル画像そのものに特殊な情報、つまり電子透かしデータを埋め込む方法も考えられている。
このような、デジタル画像に対する電子透かしデータとしては、可視な電子透かしデータ、及び不可視な電子透かしデータの２種類がある。
可視な電子透かしデータは、画像に対して特殊な文字、あるいは記号等を合成して視覚的に感知できるようにしたものであり、画質の劣化を招くが、デジタル画像の使用者に対して、不正な流用の防止を視覚的に訴える効果がある。
【００５６】
可視な電子透かしデータの埋め込みの一例が、特開平８−２４１４０３号公報に示されている。この方法においては、元になる画像に対して可視な電子透かしデータを合成する際、電子透かしデータの不透明な部分に対応する画素の輝度のみを変化させ、色成分は変化させないようにして電子透かしデータを原画像に合成している。
この際、画素の輝度成分を変化させるスケーリング値は、色成分、乱数、電子透かしデータの画素の値等によって決定されている。また、不可視な電子透かしデータは、画質を劣化させないように配慮して、電子透かしデータを画像に埋め込んだものであり、画質の劣化が少ないため視覚的にはほとんど感知できないことが特徴である。
【００５７】
この電子透かしデータとして著作者の識別が可能な特殊な情報を埋め込んでおけば、不正な複製が行われた後でも、この電子透かしデータを検出することにより著作者を特定することが可能である。
また、複製不可情報を埋め込んでおけば、例えば再生装置がその複製不可情報を検出した際に、使用者に複製禁止データであることを通知したり、再生装置内の複製防止機構を動作させて、ＶＴＲ等への複製を制限することが可能である。
【００５８】
不可視な電子透かしデータの、デジタル画像への埋め込み方法の一つとしては、画素データのＬＳＢ（ｌｅａｓｔ　ｓｉｇｎｉｆｉｃａｎｔ　ｂｉｔ）等の画質への影響の少ない部分に電子透かしデータとして特殊な情報を埋め込む方法がある。
すなわち、この方法は、画像信号の時間波形中に電子透かしデータを挿入する方法であるといえる。
【００５９】
しかし、この方法に対しては、画像から電子透かしデータを取り除くことは容易であった。例えば、低域通過フィルタを用いれば画素のＬＳＢの情報は失われることになる。
また、画像圧縮処理は、このような画質に影響の少ない部分の情報量を落とすことによりデータ量の削減を図っているので、画像処理により電子透かしデータが失われることになる。従って、電子透かしデータの再検出が困難となるという問題があった。
さらに、この方法によれば、画質の劣化が少ないものの、電子透かしデータの情報量によっては、視覚的検出することもできるものであった。
【００６０】
そこで、画像を周波数変換し、周波数スペクトラムに電子透かしデータを埋め込む方法が提案されている（日経エレクトロニクス　１９９６．４．２２（Ｎｏ．６６０）　１３ページ）。
この方法においては、周波数成分に電子透かしデータを埋め込むので、圧縮処理やフィルタリング等の画像処理に対しても電子透かしデータが失われることはない。
【００６１】
また、電子透かしデータとして正規分布に従う乱数を採用することで、電子透かしデータ同士の干渉を防ぎ、画像全体に大きな影響を及ぼすことなく電子透かしデータを破壊することを困難にしている。
さらに、この方法によれば、電子透かしデータをＬＳＢ等へ埋め込む方法に比較すると、画質の劣化をよりよく防止することができる。
【００６２】
この電子透かしデータの刷り込みは、元の画像Ｄを８ピクセル×８ピクセルのブロックに分割し、このブロックを処理単位として、電子透かしデータを埋め込むことにより行う。また、電子透かしデータの抽出処理も、ブロック単位で行われる。
【００６３】
電子透かしデータの刷り込み処理は、まず、ＭＰＥＧ（Ｍｏｖｉｎｇ　Ｐｉｃｔｕｒｅ　Ｅｘｐｅｒｔｓ　Ｇｒｏｕｐ）符号化処理の、離散コサイン変換（ＤＣＴ）が終わった後の周波数領域でＡＣ成分の周波数成分の低いものから順に、ｆ（１），ｆ（２），…，ｆ（ｎ）とし、電子透かしデータｗ（１），ｗ（２），…，ｗ（ｎ）を平均０、分散１である正規分布より選ぶ。
次に、Ｆ（ｉ）＝ｆ（ｉ）＋α＊ａｖｇ（ｆ（ｉ））＊ｗ（ｉ）を各ｉについて計算する。
ここで、αはスケーリング要素であり、ａｖｇ（ｆ（ｉ））はｆ（ｉ）の近傍３点の絶対値の平均を取った部分平均である。そして、ｆ（ｉ）の代わりにＦ（ｉ）を用いて、ＭＰＥＧ符号化処理の後続の処理を行う。
なお、以上の説明においては、電子透かしの埋め込み元データを、画像としているが、この元データとしては、画像に限られず、動画や音声等のデータであっても、同様にして電子透かしを埋め込むことが可能である。
【００６４】
本発明の電子チケットに用いる電子透かしとしては、特定のものに限定されないが、電子チケットの性質上、電子透かしによる情報の劣化を最小に抑えることが好ましい。
この観点から、本発明の電子透かしとしては、電子チケットを周波数変換して、その周波数スペクトラムに電子透かし情報を埋め込む方法を用いることが好ましい。
【００６５】
すなわち、上述のように、ＬＳＢに電子透かし情報を埋め込む方法によって電子チケットを作成する場合と、周波数スペクトラムに埋め込む方法によって電子チケットを作成する場合を比較すると、前者の方が電子チケットの劣化を招きやすい。
電子透かし情報としての情報量が小さい場合には、その劣化の影響は少ないと考えられるが、電子チケットに豊富な情報を保有する電子透かしをもたせたい場合には、その違いは顕著なものとなる。
また、従来、電子チケットは電子画像を用いていたが、このような形態にとらわれることなく、不正な複製の防止を可能とすることが望ましい。
すなわち、電子チケットの形態にかかわらず、電子チケットの不正な複製の防止を図ることが可能であれば、チケットをよりマルチメディアなものとすることができ、有効な広告を入れることも可能となる。
【００６６】
このような観点からも、動画や音声にセキュリティ効果を付与することができるとともに、その動画や音声の劣化を最小限に抑えることの可能な、周波数スペクトラムに電子透かし情報を埋め込む方法による電子透かしを、電子チケットに用いることが好ましい。
【００６７】
［ゲートシステム］
ゲートシステム３０は、コンサート会場の入場口などにおいて、入場可否の判断を行う検札装置であり、電子チケットシステムにおいて複数もたせることができる。
このゲートシステム３０は、移動端末１０が出力した電子チケットに対して、電子透かしの検出処理を行うとともに、検出した電子透かしを解析し、適切な電子チケットであると判定された場合は、その移動端末１０を有するユーザの入場を許可する。
【００６８】
図２に示すように、このゲートシステム３０は、データ受信部３１、電子透かしデータ検出部３２、電子透かしデータ解析部３３、ゲート開閉制御部３４及びゲート３５を有している。
データ受信部３１は、スキャナやマイク、カメラ等の入力装置である。ユーザが、データ受信部３１に対して、移動端末１０を用いて、静止画像又は動画による電子チケットを表示すると、データ受信部３１は、表示情報をスキャンし、又は撮影等を行って、電子透かしデータ検出部３２へ出力する。
また、電子チケットが音声である場合は、データ受信部３１は、これを録音して電子透かしデータ検出部３２へ出力する。
【００６９】
電子透かしデータ検出部３２は、データ受信部３１から入力した電子チケットに対して電子透かしの検出処理を行う。
本実施形態における検出処理は、以下のようにして行う。まず、この検出方法においては、元の画像等は必要ではなく、電子透かしデータ候補ｗ（ｉ）（但しｉ＝１，２，…，ｎ）が既知であればよい。
ＭＰＥＧ伸張処理の逆量子化が終わった後のブロックの周波数領域において、周波数成分の低いものから順に、Ｆ（１），Ｆ（２），…，Ｆ（ｎ）とする。Ｆ（ｉ）の近傍３点の絶対値の平均値を部分平均ａｖｇ（Ｆ（ｉ））として、電子透かしデータＷ（ｉ）を
Ｗ（ｉ）＝Ｆ（ｉ）／ａｖｇ（Ｆ（ｉ））
により計算し、さらに１画像分のＷ（ｉ）の総和ＷＦ（ｉ）をｉ毎に各々計算する。
【００７０】
次に、ｗ（ｉ）とＷＦ（ｉ）の統計的類似度をベクトルの内積を利用して、
Ｃ＝ＷＦ＊ｗ／（ＷＦＤ＊ｗＤ）により計算する。
ここで、Ｗ＝（ＷＦ（１），ＷＦ（２），…，ＷＦ（ｎ））、ｗ＝（ｗ（１），ｗ（２），…，ｗ（ｎ））、ＷＦＤ＝ベクトルＷＦの絶対値、ｗＤ＝ベクトルｗの絶対値である。
そして、統計的類似度Ｃが、ある特定の値以上である場合には該当電子透かしデータが埋め込まれていると判定する。
このような検出処理は、電子チケットが、静止画像の場合のみならず、動画や音声である場合にも、同様にして行うことが可能である。
電子透かしデータ検出部３２は、電子透かしデータが検出されると、これを電子透かしデータ解析部３３に出力する。
【００７１】
電子透かしデータ解析部３３は、入力された電子透かしデータにもとづいて、電子チケットが有効であるか否かを判断する。
この電子チケットの有効無効判断のために、ゲートシステム３０は、あらかじめ電子チケットサーバ２０からそのチケット情報を受信して管理する。
【００７２】
このチケット情報としては、上述のように、例えば、コンサートなどの名称、料金、日時、場所等の情報とすることができる。
これらは、電子透かしデータとして電子チケットに刷り込むことができるため、電子透かしデータ解析部３３は、ユーザによって、移動端末１０を用いて提示された電子チケットが、正規のものであることを確認することができる。
また、同時に、その電子チケットが、そのコンサートなどに適切なものであること、すなわち、正しい日時や場所等のものであることを確認することができる。
【００７３】
なお、電子透かしデータ解析部３３において、ユーザ情報の確認を行うことも可能である。
すなわち、電子チケットサーバ２０による電子チケットの発行の際に、ユーザ情報も電子チケットに刷り込み、ゲートシステム３０において、チケット情報とともに、ユーザ情報もあわせて、あらかじめ電子チケットサーバ２０から受信して管理することによって、その電子チケットのユーザを識別することも可能となる。
【００７４】
電子透かしデータ解析部３３は、電子透かしデータの解析の結果、その電子チケットの有効／無効情報をゲート開閉制御部３４に出力する。
ゲート開閉制御部３４は、入力した電子チケットの有効／無効情報にもとづいて、ゲート３５の開閉を制御する。
【００７５】
［複製装置］
複製装置４０は、電子チケットを複製する者が使用する装置である。この複製装置４０としては、パーソナルコンピュータ、ＶＴＲ、ビデオカメラ、複写機、ファクシミリ、カセットデッキ、ＭｉｎｉＤｉｓｋ、スキャナ、アナログカメラ、デジタルカメラ、移動端末等を用いることができる。
電子チケットを複製する行為は、通常不正な複製行為であると考えられる。このため、これを複製することの可能なあらゆる装置に、不正な複製を防止する機能をもたせることが好ましい。
また、電子チケットに複製の許可がある場合であっても、一般的には複製回数に制限が設けられると考えられる。このため、複製可能な電子チケットに対し、その電子透かしに複製世代情報を追加する機能を、複製装置４０にもたせることが好ましい。
【００７６】
本実施形態の複製装置４０には、以上のような観点にもとづいて、データ取得部４１、複製制御部４２、データ格納部４３、データ送信部４４、表示部４５及び音声出力部４６をもたせている。
データ取得部４１は、外部から電子透かしを有する電子チケットを、複製装置４０に取り込む。
その取り込み手段は、電子チケットの種類や、複製装置４０の種類に応じて、様々な形態をとり得る。
【００７７】
例えば、複製装置４０がパーソナルコンピュータである場合は、データ取得部４１は、静止画像、動画、音声、又はこれらを組み合せて作成され、移動端末１０や電子チケットサーバ２０から送信された電子チケットを、通信回線を介して受信することができる。
また、電子チケットが静止画像で、複製装置４０がスキャナであれば、データ取得部４１は、その静止画像を読み込むものとすることができる。
【００７８】
同様に、電子チケットが動画であり、複製装置４０がビデオカメラであっても、又は、電子チケットが音声であり、複製装置４０が録音装置であっても、データ取得部４１は、その電子チケット情報を録画又は録音して、複製装置４０に取り込むものとすることができる。
そして、データ取得部４１は、取得した電子チケットを複製制御部４２に出力する。
【００７９】
複製制御部４２は、電子チケットに対して電子透かしの検出処理を行う。この検出処理としては、ゲートシステム３０の電子透かしデータ検出部３２における処理と同様の処理を用いることができる。
電子透かしデータが検出された場合、複製制御部４２は、その電子透かしデータを解析する。
この解析処理において、電子透かしデータに、その電子チケットの複製を禁止することを示す複製不許可情報が含まれている場合は、複製制御部４２は、その複製を行うことなく、入力された電子チケットを廃棄し、表示部４５又は音声出力部４６に、複製できないことを示すメッセージを出力する。
【００８０】
また、電子透かしデータに、その電子チケットの複製を禁止することを示す複製不許可情報が含まれていない場合、複製制御部４２は、電子チケットを複製するが、このとき電子チケットの電子透かしに複製世代情報を追加することができる。
この追加方法としては、電子チケットサーバ２０の電子透かしデータ刷り込み部２５における処理と同様の方法を用いることができる。すなわち、複製制御部４２は、上記複製世代情報を追加した電子透かしデータを有する電子チケットを作成して、これをデータ格納部４３に格納する。
【００８１】
また、複製制御部４２が、このようにして複製世代情報を追加した電子透かしデータを有する複製した電子チケットを、データ送信部４４を介して外部装置に送信するようにしてもよい。
すなわち、ユーザは、このようにして複製装置４０により複製した電子チケットを、例えば、他の移動端末に保存し、これを用いてゲートシステム３０において検札を受けることができる。
【００８２】
電子チケットの複製が、所定の範囲内で許可されている場合、例えば、家族割引サービスを提供する催し物の電子チケットについて、１回の複製が許可されているような場合は、ゲートシステム３０の電子透かしデータ解析部３３は、電子透かしの複製世代情報にもとづいて、これを認識する。
そして、この場合は、ゲートシステム３０のゲート開閉制御部３４がゲート３５を開く。
【００８３】
しかし、ゲートシステム３０に提示された電子チケットにおける電子透かしの複製世代情報が２回以上の複製である場合は、ゲートシステム３０の電子透かしデータ解析部３３は、これを認識し、ゲート開閉制御部３４によりゲート３５は閉じられる。
【００８４】
また、複製装置４０を、電子透かしデータに複製不許可情報の存否にかかわらず、電子チケットを複製し、電子チケットに複製世代情報を追加するようにすることもできる。
この場合、その電子チケットが一切の複製を許可しないものである場合には、ゲートシステム３０の電子透かしデータ解析部３３が、複製世代情報を確認することによって、その電子チケットが複製されたものであることを認識し、ゲート開閉制御部３４によりゲート３５を閉じるようにすることもできる。
【００８５】
複製装置４０が、移動端末等である場合は、ユーザは、直接これを用いてゲートシステム３０にて検札を受けることもできる。このとき、静止画像や動画の電子チケットは、表示部４５に表示することができ、音声の電子チケットは、音声出力部４６から出力することができる。
【００８６】
［移動端末事業者ネットワーク］
移動端末事業者ネットワーク６０は、電話会社などにより構築されたネットワークであり、複数の基地局及び交換機を有している。
電子チケットサーバ２０及びゲートシステム３０は、移動端末事業者ネットワーク６０に接続し、移動端末１０は、この移動端末事業者ネットワーク６０を介して、電子チケットサーバ２０に電子チケットの発行を依頼するとともに、発行された電子チケットを受信する。
【００８７】
［電子チケットシステムの処理手順］
次に、第一実施形態の電子チケットシステムにおける処理手順について、図４〜図６を参照して説明する。
図４は、本実施形態の電子チケットシステムにおける処理手順を示す動作手順図である。また、図５は、同システムにおいて、特に不正な複製防止処理手順を示す動作手順図であり、図６は、その他の不正な複製防止処理手順を示す動作手順図である。
【００８８】
まず、図４を参照して、ユーザは、移動端末１０を用いて、移動端末事業者ネットワーク６０に接続されている電子チケットサーバ２０に対し、移動端末事業者ネットワーク６０を介してチケット発行の依頼を行う。
このとき移動端末１０は、図４に示すように、ユーザによるチケット発行依頼データを入力し（ステップ１０）、このチケット発行依頼データを電子チケットサーバ２０に送信する（ステップ１１）。
【００８９】
電子チケットサーバ２０は、移動端末１０からチケット発行依頼データが送信されてくると、このチケット発行依頼データにもとづいて、そのチケットが発行可能であるものか否かを確認し（ステップ１２）、発行可能である場合は、課金処理を行う（ステップ１３）。
【００９０】
この課金処理については、上述のように、電子チケットサーバ２０が、専用線やインターネット等の通信回線を介して、電話会社に課金用データを送信し、電話会社における課金システム等において、電話料金にチケット料金の上乗せ処理が行われるようにすることができる。
また、電話料金とは別個に、クレジットカードによる決済や、振込による決済等とすることもできる。
【００９１】
次に、電子チケットサーバ２０は、その電子チケットの本体である静止画像、動画、又は音声等に電子透かしを刷り込む（ステップ１４）。この電子透かしの刷り込み方法については、上述のような周波数スペクトラムに電子透かしデータを埋め込む方法が好ましい。
そして、このようにして作成された電子透かしを有する電子チケットを移動端末１０に送信する（ステップ１５）。
移動端末１０は、送信されてきた電子チケットを格納する（ステップ１６）。
【００９２】
次に、ユーザは、コンサートや観劇等のためにその会場に移動して、入場のためのゲートシステム３０に対し、移動端末１０から電子チケットを出力して提示する。
このとき、電子チケットが静止画像や動画である場合には、移動端末１０は、そのモニタなどに電子チケットを表示することができる。また、電子チケットが、音声である場合には、移動端末１０のスピーカなどからこれを出力することができる。
【００９３】
ゲートシステム３０は、このように移動端末１０により提示された電子チケットを入力する。
この入力手段としては、例えば、電子チケットが静止画像である場合は、スキャナやカメラ、ビデオカメラ等とすることができる。
また、電子チケットが動画である場合は、ビデオカメラなどとすることができる。電子チケットが音声である場合は、各種録音装置のマイクなどとすることができる。
【００９４】
そして、ゲートシステム３０は、入力した電子チケットが電子透かしを有しているか否かを判断するための検出処理を行う（ステップ１８）。
この検出処理において、電子透かしが検出された場合は、ゲートシステム３０は、これを解析し、その電子チケットが、そのコンサートなどに適切なものであるか否かを判断する（ステップ１９）。
【００９５】
電子透かしには、上述のように、コンサートなどの名称や、日時、場所、料金、複製世代情報等の情報をもたせることが可能である。
また、ゲートシステム３０は、あらかじめ移動端末事業者ネットワーク６０を介して、電子チケットサーバ２０から上記のような電子透かしに保有させる情報を受信して格納する。
【００９６】
このため、このゲートシステム３０にあらかじめ格納した情報と、移動端末１０により提示された電子チケットが有する電子透かしに含まれた情報とを比較することによって、その電子チケットが正規のものであるか否かを判断することができる。
【００９７】
ゲートシステム３０は、この電子透かしの解析により、電子チケットがそのコンサートなどに対して有効なものであるか否かを判断し、ゲートの開閉を制御する（ステップ２０）。
電子チケットが有効であると判断される場合は、ゲートシステム３０は、ゲートを開いた状態とする。
【００９８】
また、この電子透かしの解析において、電子チケットに電子透かしが入っていない場合、電子透かしが入っているが、その複製世代情報により不正な複製された電子ケットであると判断される場合、及び、電子透かしの情報によりユーザが、間違って異なる日付や場所のコンサートなどに入場しようとしたと判断される場合等には、ゲートシステム３０は、ゲートを閉じた状態とする。
【００９９】
次に、図５を参照して、電子透かしを有する電子チケットの不正な複製を防止する処理手順について説明する。
まず、移動端末１０は、電子透かしを有する電子チケットを表示又は出力する（ステップ３０）。
このとき、移動端末１０は、ゲートシステム３０に対して電子チケットを提示する際に行うような方法により、複製装置４０に対して電子チケットを出力するか、又は、通信回線を介して、複製装置４０に電子チケットを送信する。
【０１００】
次に、複製装置４０は、ゲートシステム３０と同様にして電子チケットを入力する。あるいは、通信回線を介して、移動端末１０から電子チケットを受信する。
そして、入力した電子チケットに電子透かしが含まれているかどうかの検出処理を行い（ステップ３１）、含まれている場合には、検出された電子透かしを解析する（ステップ３２）。
【０１０１】
この解析処理において、電子透かしデータに、その電子チケットの複製を禁止するという情報が含まれている場合は、複製装置４０は、入力した電子チケットを廃棄し、複製が禁止されていることを示すメッセージを、モニタやスピーカから出力する（ステップ３３）。
これにより、電子チケットの不正な複製を防止することができる。
【０１０２】
次に、図６を参照して、電子透かしを有する電子チケットの不正な複製を防止する他の処理手順について説明する。
まず、移動端末１０が、電子チケットを出力し、複製装置４０がこの電子チケットを入力して、電子透かしの検出処理を行うまでの動作（ステップ５０、ステップ５１）は、上述の図５における動作（ステップ３０、ステップ３１）と同様である。
【０１０３】
次に、複製装置４０は、電子透かしを解析し、この解析の結果、複製可能である場合は、複製を行うとともに、電子透かしデータに複製をしたことを示す複製世代情報を追加して電子チケットに刷り込み、これを格納する（ステップ５３）。このようにして複製した電子チケットを、複製装置４０が、外部装置、例えば、他の移動端末などに送信し、この外部装置において格納され、用いられることも考えられる。
なお、ここでは、入力した電子チケットデータ自体を複製装置４０などに格納することも複製としている。
【０１０４】
次に、ユーザは、コンサートなどのゲートシステム３０に対し、複製装置４０を用いて複製した電子チケットを、表示又は出力することにより提示する（ステップ５４）。
ゲートシステム３０は、提示された電子チケットを入力して電子透かしの検出処理を行い（ステップ５５）、検出された電子透かしを解析する（ステップ５６）。
【０１０５】
この解析において、例えば、そのコンサートに関して、電子チケットの複製が１回のみ認められているような場合は、ゲートシステム３０は、電子透かしにおける複製世代情報により、提示された電子チケットの複製回数を確認して、ゲートの開閉を制御することができる（ステップ５７）。
また、複製装置４０において、複製可能であったが、そのコンサートに関して、電子チケットの複製が一切認められていないときは、ゲートシステム３０は、同様に複製世代情報を確認することによって、提示された電子チケットが複製されたものであると判断した場合、そのゲートを閉じるようにすることができる。これによって、不正な複製を行った電子チケットを用いたユーザの入場を、防止することが可能となる。
【０１０６】
なお、本実施形態においては、検札装置をゲートシステムとしているが、これに限定されるものではなく、検札を行う各種装置に適用することができる。例えば、電子チケットが出力された場合に、景品を提供したり、割引を実施する装置等を、本発明の検札装置として用いることも可能である。
電子チケットシステムをこのような構成にすることにより、電子チケットの認証にあたって、電子透かしを用いることができる。
これによって、電子チケットに対する高いセキュリティ効果を得ることができることに加え、電子チケットの形態にとらわれることなく、そのセキュリティ効果を付与することが可能となる。
すなわち、電子チケットを静止画像のみならず、動画や音声等とすることもでき、電子チケットをマルチメディアなものとすることが可能となる。
【０１０７】
また、電子透かし技術として、周波数スペクトラムに電子透かしデータを埋め込む方法をとることによって、電子透かしによる電子チケットの劣化を最小のものとすることが可能となる。
さらに、各種複製機器に、電子透かしの検出及び解析機能を設けることによって、電子チケットの不正な複製を防止することが可能となる。
【０１０８】
［第二実施形態］
次に、本発明の第二実施形態につき、図７及び図８を参照して説明する。図７は、本発明の第二実施形態の電子チケットシステムの構成を示すブロック図であり、図８は、同システムにおける移動端末、電子チケットサーバ及びゲートシステムの構成を示すブロック図である。
図７及び図８に示すように本実施形態は、電子チケットシステムが、インターネットなどの他のネットワーク７０に接続された電子チケットサーバ２０ａ及びゲートシステム３０ａ等を有する点で、第一実施形態と異なる。
【０１０９】
このネットワーク７０としては、従来公知の任意好適な公衆回線、商業回線又は専用回線を用いることができる。また電子チケットサーバ２０ａ及びゲートシステム３０ａ等のそれぞれの間においては、同一又は別個の通信回線で構成することができる。
さらに、ネットワーク７０は、電子チケットサーバ２０ａ及びゲートシステム３０ａ等のそれぞれの間を、無線あるいは有線で接続可能な回線であり、例えば、公衆回線網、専用回線網、インターネット回線網及びイントラネット網により構成することができる。
【０１１０】
このネットワーク７０は、移動端末事業者ネットワーク６０に接続されており、移動端末１０は、移動端末事業者ネットワーク６０及びネットワーク７０を介して、電子チケットサーバ２０ａに対し、電子チケットサーバ２０に対する場合と同様に、チケット発行依頼データを送信することができる。
そして、発行された電子透かしを有する電子チケットを電子チケットサーバ２２０ａから受信する。
【０１１１】
また、ユーザは、コンサートなどにおけるゲートシステム３０ａに対して、移動端末１０を用いて電子チケットを提示し、そのコンサートなどへの入場の許可判断を受ける。
その他の構成については、第一実施形態における構成と同様であり、本実施形態の場合も、図４〜図６に示すものと同様の処理手順にて電子チケットの発行、検出、解析、ゲート開閉制御及び不正な複製の防止を行うことができる。
【０１１２】
なお、本実施形態においては、ゲートシステム及び電子チケットサーバを、ネットワーク７０にのみ接続して、移動端末事業者ネットワーク６０にこれらをもたせなくて、実施することが可能である。
以上のように、電子チケットシステムを本実施形態に示す構成にすれば、同システムをより柔軟に構築することができ、汎用性、拡張性に優れたシステムを提供することが可能となる。
【０１１３】
［第三実施形態］
次に、本発明の第三実施形態につき、図９及び図１０を参照して説明する。図９は、本発明の第三実施形態の電子チケットシステムの構成を示すブロック図であり、図１０は、同システムにおける移動端末、電子チケットサーバ及びゲートシステムの構成を示すブロック図である。
図９及び図１０に示すように、本実施形態は、第一実施形態で示した移動端末１０だけでなく、移動端末事業者ネットワーク６０に接続されたユーザ端末５０又はネットワーク７０に接続されたユーザ端末５０ａにより、チケットの発行依頼が行われる点で、第一実施形態と異なる。
【０１１４】
このユーザ端末５０、ユーザ端末５０ａは、ノート型パソコンなどのパーソナルコンピュータや、ＰＤＡ等である。
ユーザは、移動端末１０と同様に、このユーザ端末５０等を用いて、電子チケットサーバ２０又は電子チケットサーバ２０ａに対してチケット発行依頼データを送信する。
そして、ユーザ端末５０ａは、発行された電子透かしを有する電子チケットを受信して格納し、ゲートシステム３０等において、その電子チケットを提示する。
【０１１５】
その他の構成については、第一実施形態における構成と同様であり、本実施形態の場合も、図４〜図６に示すものと同様の処理手順にて電子チケットの発行、検出、解析、ゲート開閉制御及び不正な複製の防止を行うことができる。
以上のように、電子チケットシステムをこのような構成することにより、電子チケットを保有させる機器の幅を広げることができ、より汎用性に優れたシステムを提供することが可能となる。
【０１１６】
なお、上記の各実施形態におけるチケット発行依頼データの送信や、電子透かしの刷り込み、電子透かしの検出等は、電子チケットプログラムにより実行される。
この電子チケットプログラムは、コンピュータの各構成要素に指令を送り、所定の処理、例えば、チケット発行依頼データの送信処理や、電子透かしの刷り込み処理、電子透かしの検出処理等を行わせる。
これによって、これらの処理は、電子チケットプログラムとコンピュータとが協働した移動端末１０、電子チケットサーバ２０、ゲートシステム３０等により実現される。
【０１１７】
また、電子チケットプログラムは、コンピュータのＲＯＭやハードディスクに記憶させる他、コンピュータ読み取り可能な記録媒体、たとえば、外部記憶装置及び可搬記録媒体等に格納することができる。
外部記憶装置とは、磁気ディスク等の記録媒体を内蔵し、例えば電子チケットサーバ２０などに外部接続される記憶増設装置をいう。一方、可搬記録媒体とは、記録媒体駆動装置（ドライブ装置）に装着でき、かつ、持ち運び可能な記録媒体であって、たとえば、ＣＤ−ＲＯＭ、フレキシブルディスク、メモリカード、光磁気ディスク等をいう。
【０１１８】
そして、記録媒体に記録されたプログラムは、コンピュータのＲＡＭにロードされて、ＣＰＵにより実行される。この実行により、上述した本実施形態の電子チケットサーバ２０等の機能が実現される。
さらに、コンピュータで電子チケットプログラムをロードする場合、他のコンピュータで保有された電子チケットプログラムを、通信回線を利用して自己の有するＲＡＭや外部記憶装置にダウンロードすることもできる。
【０１１９】
このダウンロードされた電子チケットプログラムも、ＣＰＵにより実行され、本実施形態のチケット発行依頼データの送信処理や、電子透かしの刷り込み処理、電子透かしの検出処理等を実現する。
なお、本発明は以上の実施形態に限定されるものではなく、例えば、電子チケットとしてホログラムやバイブレーション等を用いて、その表現力を高めるなど適宜設計変更できるものである。
【０１２０】
【発明の効果】
以上のように、本発明によれば、電子チケットの認証にあたって、電子透かしを用いることができる。
これによって、電子チケットに対する高いセキュリティ効果を得ることができることに加え、電子チケットの形態にとらわれることなく、このセキュリティ効果を付与することが可能となる。
すなわち、電子チケットを静止画像のみならず、動画や音声等とすることもでき、電子チケットをマルチメディアなものとすることが可能となる。
【０１２１】
また、電子透かし技術として、周波数スペクトラムに電子透かしデータを埋め込む方法をとることによって、電子透かしによる電子チケットの劣化を最小のものとすることが可能となる。
さらに、各種複製機器に、電子透かしの検出及び解析機能を設けることによって、電子チケットの不正な複製を防止することが可能となる。
【０１２２】
加えて、このような電子チケットシステムを、移動端末事業者ネットワークのみならず、インターネットなどの通信回線を介して行うこともでき、パーソナルコンピュータやＰＤＡなどのユーザ端末を用いて、電子チケットを取得し、利用することも可能となる。
【０１２３】
また、電子チケットプログラムは、コンピュータの各構成要素へ所定の指令を送ることにより、このチケット発行依頼データの送信機能や、電子透かしの刷り込み機能、電子透かしの検出機能等を実現させることができる。
これによって、これらの機能等は、電子チケットプログラムとコンピュータとが協働した電子チケットサーバ等により実現可能である。
【図面の簡単な説明】
【図１】本発明の第一実施形態の電子チケットシステムの構成を示すブロック図である。
【図２】本発明の第一実施形態の電子チケットシステムにおける移動端末、電子チケットサーバ及びゲートシステムの構成を示すブロック図である。
【図３】本発明の第一実施形態の電子チケットシステムにおける複製装置の構成を示すブロック図である。
【図４】本発明の第一実施形態の電子チケットシステムにおける処理手順を示す動作手順図である。
【図５】本発明の第一実施形態の電子チケットシステムにおける不正な複製防止処理手順を示す動作手順図である。
【図６】本発明の第一実施形態の電子チケットシステムにおける他の不正な複製防止処理手順を示す動作手順図である。
【図７】本発明の第二実施形態の電子チケットシステムの構成を示すブロック図である。
【図８】本発明の第二実施形態の電子チケットシステムにおける移動端末、電子チケットサーバ及びゲートシステムの構成を示すブロック図である。
【図９】本発明の第三実施形態の電子チケットシステムの構成を示すブロック図である。
【図１０】本発明の第三実施形態の電子チケットシステムにおける移動端末、電子チケットサーバ及びゲートシステムの構成を示すブロック図である。
【符号の説明】
１０　移動端末
１１　データ入力部
１２　制御部
１３　アンテナ
１４　データ格納部
１５　表示部
１６　音声出力部
２０　電子チケットサーバ
２０ａ　電子チケットサーバ
２１　受付部
２２　データ管理部
２３　データ生成部
２４　データ格納部（画像／動画／音声）
２５　電子透かしデータ刷り込み部
２６　送信部
３０　ゲートシステム
３０ａ　ゲートシステム
３１　データ受信部（スキャナ／マイク）
３２　電子透かしデータ検出部
３３　電子透かしデータ解析部
３４　ゲート開閉制御部
３５　ゲート
４０　複製装置
４１　データ取得部
４２　複製制御部
４３　データ格納部
４４　データ送信部
４５　表示部
４６　音声出力部
５０　ユーザ端末
５０ａ　ユーザ端末
６０　移動端末事業者内ネットワーク
７０　ネットワーク（インターネット等）
【図１】
2004078429.tif 000003
【図２】
2004078429.tif 000004
【図３】
2004078429.tif 000005
【図４】
2004078429.tif 000006
【図５】
2004078429.tif 000007
【図６】
2004078429.tif 000008
【図７】
2004078429.tif 000009
【図８】
2004078429.tif 000010
【図９】
2004078429.tif 000011
【図１０】
2004078429.tif 000012